(57)【要約】【課題】  骨つぼを単に販売するのではなく、供物として販売するシステムにおいて、当該供物の骨つぼが、どのような人に寄って供えられたものなのか、それを明確にすること、それが発明が解決しようとする課題である。【解決手段】  骨つぼを供物として供える人に販売し、当該骨つぼに供える人の氏名とか贈る言葉を書き込むこと、これが課題を解決するための手段である。【選択図】図１
2011024974.tif 000002
【特許請求の範囲】
【請求項１】
骨つぼの販売システムとして、当該骨つぼを単に遺族に販売するのではなく、親族等に供物として骨つぼを販売し、当該骨つぼを購入した親族は当該骨つぼを供物として霊前に供えるべく確立した供物用骨つぼ販売システム。
【請求項２】
骨つぼの蓋の裏または骨つぼ本体の側面に、当該骨つぼを供物として供える人、即ち寄贈者の氏名を書き込んだことを特徴とする請求項１の供物用骨つぼ。
【請求項３】
骨つぼの蓋の裏または骨つぼ本体の側面に、当該骨つぼを供物として供える人の氏名と、当該寄贈者が故人に贈る言葉を書き込んだことを特徴とする請求項１の供物用骨つぼ。
【発明の詳細な説明】
【技術分野】
【０００１】  本発明は、故人の遺骨を納骨する骨つぼに関するものであり、詳しくは何人かの親族等で故人に供物として骨つぼを供えるべく勘案されたシステムにおいて用いられる骨つぼに関するものである。
【背景技術】
【０００２】  従来より骨つぼは白の陶磁器製の蓋付容器が一般的であり、格別に個性的な形状のものはみかけなかったが、近年になって豪華で且つ優美な骨つぼが開発され市販されている。【０００３】  しかし、このような骨つぼは高価であり、骨つぼ一体が１０万とか２０万というのも珍しいことではない。【０００４】  最近では寿陵と同じく、生前に骨つぼを購入しておく人も増えているが、一体の骨つぼが１０万、２０万、物によっては３０万とか言うような高価な骨つぼを簡単に購入することは難事であった。これは故人が生前に購入する場合に限らず、葬儀の際に遺族が用意するにも同じことが言える。【０００５】  出願人はこれまでにも多くの骨つぼを開発し、出願もしているが、その中で豪華で優美であるがために高価となる骨つぼを、どのような販売方法を用いれば売り易くなるか、いろいろと考えた結果、骨つぼを故人が生前に用意したり、遺族が葬儀の際に購入するのではなく、親族とか生前の故人にお世話になった人々が供物を供える、その供物として骨つぼを販売するシステムを確立した。即ち、一体が２０万の骨つぼにしても、例えば５人の孫一同で供物として供えるのであれば、一人当たりの負担額は４万で済む、そのような販売システムにすれば高価な骨つぼも販売し易くなるのである。
【発明の開示】
【発明が解決しようとする課題】
【０００６】  骨つぼを単に販売するのではなく、供物として販売するシステムにおいて、当該供物の骨つぼが、どのような人に寄って供えられたものなのか、それを明確にすること、それが発明が解決しようとする課題である。
【課題を解決するための手段】
【０００７】  本発明は、骨つぼを供物として供える人に販売し、当該骨つぼに供える人の氏名とか贈る言葉を書き込むこと、これが課題を解決するための手段である。
【発明の効果】
【０００８】  本発明は、骨つぼの販売システムとして、当該骨つぼを単に遺族に販売するのではなく、親族等に供物として骨つぼを販売し、当該骨つぼを購入した親族は当該骨つぼを供物として霊前に供えるべく確立した供物用骨つぼの販売システムであり、更には、骨つぼの蓋の裏または骨つぼ本体の側面に、当該骨つぼを供物として供える人、即ち寄贈者の氏名を書き込んだことを特徴とする供物用骨つぼであり、更には、骨つぼの蓋の裏または骨つぼ本体の側面に、当該骨つぼを供物として供える人の氏名と、当該寄贈者が故人に贈る言葉を書き込んだことを特徴とする供物用骨つぼであるから、従来は豪華で且つ優美な骨つぼは高価で、故人が生前に購入したり、また遺族が葬儀の際に購入するにもなかなか難事であったが、本発明の販売システムであれば、当該骨つぼが例えば一体２０万としても、５人の孫一同で供物として供えれば一人当たりの負担額は４万となり、供物としての金額と考えれば購入し易いものとなるのである。しかも、骨つぼには、当該骨つぼを供物として供えた人々の名前を書き残し、またその人々が故人に贈る言葉を同時に書き込めば、豪華で且つ優美な骨つぼを霊前に供えるということだけでなく、供養性を高め、更には、骨つぼと共に供えた人々の名前は半永久的に残るものである等、極めて顕著なる効果を有する者である。
【発明を実施するための最良の形態】
【０００９】  本発明は、骨つぼの販売システムとして、当該骨つぼを単に遺族に販売するのではなく、親族等に供物として骨つぼを販売し、当該骨つぼを購入した親族は当該骨つぼを供物として霊前に供えるべく確立した供物用骨つぼの販売システムであり、更には、骨つぼの蓋の裏または骨つぼ本体の側面に、当該骨つぼを供物として供える人、即ち寄贈者の氏名を書き込んだことを特徴とする供物用骨つぼであり、更には、骨つぼの蓋の裏または骨つぼ本体の側面に、当該骨つぼを供物として供える人の氏名と、当該寄贈者が故人に贈る言葉を書き込んだことを特徴とする供物用骨つぼを呈せんとするものである。
【実施例１】
【００１０】  骨つぼ１を販売する業者の一つとして葬祭業者が上げられるが、当該葬祭業者は葬儀の打ち合わせの際に、豪華で且つ優美な骨つぼ１を、単に遺族に販売するのではなく遺族に対して骨つぼを供物として扱うことを説明する。従って骨つぼが高価ではあっても、何人かの供物を供える人々が集まれば、一人当たりの負担金は小額ですむものである。例えば一体が２０万円の骨つぼであっても、５人の孫一同で供えるとすれば、一人当たりの金額は４万円となり、非常に購入し易い金額となる。また親族だけでなく、故人の生前にお世話になったというような人が一緒に供えさせてほしいということも出てくる。【００１１】  骨つぼ１の蓋２の裏３、或いは骨つぼ１の側面に当該骨つぼ１を供えた人々の名前４を書き込む。またこれと同時に備えた人々がそれぞれ故人に贈る言葉５を書き込み供養性を高めるものである。これは通常の文字で書き込んでもよし、また供える人々がそれぞれ自分で書いた文字を転写して焼き付けても良い。骨つぼ１は磁器（セラミックス）で製作されており、その表面に名前等をシルクスクリーン印刷や４色分解フイルムにより印刷した後、ガラス質で表面を覆い、８００〜１２５０℃の高温で焼成しているので、磁器と印刷面が非常に硬いガラス質に覆われ、高耐久性が得られる。更に他の実施例としては、骨つぼの蓋２の裏面３とか骨つぼ１の側面に梨地部分、即ち素焼き部分を設け、当該素焼き部分に墨で名前４とか贈る言葉５を書き込んでもよい。この場合の墨は墨汁とかでなく、硯で摺った墨を用いることが条件である。墨汁は年月の経過と共に消えてしまうが、墨は半永久的に消えることはない。
【産業上の利用可能性】
【００１２】  本発明は、骨つぼ１の販売システムとして、当該骨つぼ１を単に遺族に販売するのではなく、親族等に供物として骨つぼ１を販売し、当該骨つぼ１を購入した親族は当該骨つぼ１を供物として霊前に供えるべく確立した供物用骨つぼ１の販売システムであり、更には、骨つぼ１の蓋の裏または骨つぼ１本体の側面に、当該骨つぼ１を供物として供える人、即ち寄贈者の氏名２を書き込んだことを特徴とする供物用骨つぼ１であり、更には、骨つぼ１の蓋２の裏３または骨つぼ１本体の側面に、当該骨つぼ１を供物として供える人の氏名４と、当該寄贈者が故人に贈る言葉５を書き込んだことを特徴とする供物用骨つぼであるから、従来は豪華で且つ優美な骨つぼ１は高価で、故人が生前に購入したり、また遺族が葬儀の際に購入するにもなかなか難事であったが、本発明の販売システムであれば、当該骨つぼ１が例えば一体２０万としても、５人の孫一同で供物として供えれば一人当たりの負担額は４万となり、供物としての金額と考えれば購入し易いものとなるのである。しかも骨つぼには当該骨つぼ１を供物として供えた人々の名前４を書き残し、またその人々が故人に贈る言葉５を同時に書き込めば、供養性を高めることも出来、更には豪華で且つ優美な骨つぼを霊前に供えるということだけでなく、骨つぼと共に供えた人々の名前４等は半永久的に残るものである。またこのような販売システムとすることにより、骨つぼ販売業者にとっては高価な骨つぼが極めて販売し易くなる等、産業上の利用可能性は極めて高いものとなる。
【図面の簡単な説明】
【００１３】
【図１】  供える人の名前と贈る言葉を書き込んだ骨つぼ側面図
【図２】  供える人の名前を書き込んだ骨つぼ蓋の裏面図
【符号の説明】
【００１４】  １  骨つぼ
２  蓋
３  蓋の裏面
４  供える人の名前
５  供える人が故人に贈る言葉
【図１】
2011024974.tif 000003
【図２】
2011024974.tif 000004